Podtech/llm-jp-corpus-v4-ja_patent huggingface dataset:
(57)【要約】      （修正有）【課題】使い捨ての紙をマスクとすることで、飲食の場における新型コロナウイルスの飛沫感染を防ぎ、デザインも多種多彩にすることで話題性に長ける、マスクを提供する。【解決手段】ケント紙を鼻・口・頬を覆うほどの大きさで扇形に切り出し、切り出したものの天分金を鼻へ当て、扇面で口元を覆うようにして手に持つことで、飲食中に歓談しても飛沫によるウィルス感染を予防するのに効果的となる手持ちのマスク。【選択図】図１
0003234762.tif 000002
【実用新案登録請求の範囲】
【請求項１】
手に持って鼻・口元にあてがうことで、飲食中の歓談でも飛沫による様々な感染を防ぐのに効果的となる手持ちのマスク。
【考案の詳細な説明】
【技術分野】
【０００１】      本考案は、紙を扇形に切り出し、複数種類の絵を描いた手持ちマスクに関するものである。
【背景技術】
【０００２】      外食等での飲食中では、流行中の新型コロナウイルス感染拡大を防ぐため、可能な限りマスクを着用することが多かった。
【考案の概要】
【考案が解決しようとする課題】
【０００３】      従来のマスクでは、飲食の度にマスクをずらしたり外したりする必要があり、それが面倒になり、結局はマスクを外しての飲食となることが多く、少なからず飛沫が発生してしまっていた。本考案は、度々マスクを外す煩わしさを取り除きつつ、且つ飛沫感染を防ぎ、飲食を楽しんでもらうものである。
【課題を解決するための手段】
【０００４】      本考案は、従来のマスクのように耳からかけるタイプのものではなく、紙を切り出して作成したものであるため、片手で持つことができ、飲食中に歓談する際にのみ、鼻・口元にあてがうだけで飛沫を防ぐことができる。
【考案の効果】
【０００５】      上記のように、歓談する際にのみ使用するだけで飛沫を防ぐことができるだけでなく、本体に様々な絵を描くことで話の種にもなり、飲食の場を楽しくすることができる。また、紙でできているので、使用後は店で処分することも可能。
【図面の簡単な説明】
【０００６】
【図１】本考案の手持ちマスク、「食べれマスク」の実施例を示す正面図である。
【考案を実施するための形態】
【０００７】  白い画用紙に扇形の枠を描き、その中に複数種類の絵を描く。手持ち部分は円形にしておき、「手持ち部分」と分かりやすくしておく。最後に、枠に沿って切り出す。
【実施例】
【０００８】  店側から客側へ手渡す。またはテーブルに常備しておく。客側は飲食中に歓談する場合、食べれマスクを鼻・口を覆うようにあてがい、話すようにする。
【産業上の利用可能性】
【０００９】    新型コロナウイルス感染の終息が見えない中、飲食店はいつまでたっても時短営業や休業を要請されている。飲食店が感染の一因となっているのであれば、それを防ぐためのマスクは大いに利用される可能性がある。さらに、様々なデザインにすることで話題性にもなり、飲食の場で打ち解ける一因にもなりうる。
【図１】
0003234762.tif 000003
【手続補正書】
【提出日】令和3年7月12日(2021.7.12)
【手続補正１】
【補正対象書類名】実用新案登録請求の範囲
【補正対象項目名】全文
【補正方法】変更
【補正の内容】
【実用新案登録請求の範囲】
【請求項１】
ケント紙を鼻・口・頬を覆うほどの大きさで扇形に切り出し、切り出したものの天分金を鼻へ当て、扇面で口元を覆うようにして手に持つことで、飲食中に歓談しても飛沫によるウィルス感染を予防するのに効果的となる手持ちのマスク。
(57)【要約】      （修正有）【課題】ワイシャツ（英：ｄｒｅｓｓ  ｓｈｉｒｔ）は、脱ぎ着をするのに多数のボタンを両手で開閉する必要があり、手が不自由な人や忙しい現代人は、カジュアルな物で代用するか、又は、前途の手間を時間をかけ着用している欠点を解決した、バック・ゴア・シャツを提供する。【解決手段】襟羽の付いたワイシャツ（英：ｄｒｅｓｓ  ｓｈｉｒｔ）などに対し、襟やヨークの後ろ側の一部を、伸縮する素材で断続的に切り替えてマチ４を作る事により、被るだけで着用が可能となる。通常ボタンの開閉では約４０秒要するが、本考案を加えたところ約８秒と、時間をおよそ５分の１に短縮できた。【選択図】図２
0003234767.tif 000002
【実用新案登録請求の範囲】
【請求項１】
ボタンの開閉無しでは着用ができない、襟羽の付いたワイシャツ（英：ｄｒｅｓｓ  ｓｈｉｒｔ）などに対し、襟やヨークの後ろ側の一部を伸縮する素材で断続的かつ特徴的に切り替え、ボタンを開閉せずに被って着用できるワイシャツ。
【考案の詳細な説明】
【技術分野】
【０００１】  本考案は、襟やヨークの後ろ側の一部を伸縮する素材で断続的に切り替えたワイシャツ（英：ｄｒｅｓｓ  ｓｈｉｒｔ）に関するものである。
【背景技術】
【０００２】  ワイシャツ（英：ｄｒｅｓｓ  ｓｈｉｒｔ）は、主に前中心に付いたボタンを開閉して着用しなければならない。
【考案の概要】
【考案が解決しようとする課題】
【０００３】  ワイシャツ（英：ｄｒｅｓｓ  ｓｈｉｒｔ）は、職場など、一定以上着飾る事が求められる場所で無くてはならない存在だが、脱ぎ着をするのに少なくとも２個、多くは７個程のボタンを両手で開閉する必要があり、時間と手間が掛かる。
手が不自由な人や忙しい現代人は、丸首のＴシャツのような、よりカジュアルな物で代用するか、前途の手間と時間を掛けて着用しているが、本考案を加える事により、それらの欠点を解決しようとするものである。
【課題を解決するための手段】
【０００４】  襟羽の付いたワイシャツ（英：ｄｒｅｓｓ  ｓｈｉｒｔ）などに対し、襟やヨークの後ろ側の一部を、伸縮する素材で断続的に切り替えてマチを作る。
【考案の効果】
【０００５】  ボタンを開閉しないと、頭部が襟ぐりを通過出来なかったものが、マチが伸縮する事によって被るだけで着用が可能となった。
着用するにあたり、通常ボタンの開閉では約４０秒要するが、本考案を加えたところ約８秒と、時間をおよそ５分の１に短縮できた。
【図面の簡単な説明】
【０００６】
【図１】本考案の構造を型紙で示す図。
【図２】本考案の製品外観イメージ。
【考案を実施するための形態】
【０００７】襟、台襟、肩ヨークの中心を軸に、マチを入れるための切り替えを作る。
伸縮する素材をマチに用いて断続的に周囲のパーツと縫い合わせる。
【実施例】
【０００８】  以下、添付図面に従って実施例を説明。
１は襟の型紙、２は台襟の型紙、３は肩ヨークの型紙。
１〜３のそれぞれａと記した中心斜線部分に、４の伸縮するマチを入れるための切り替えを作る。４のマチは１〜３を跨ぐように断続して縫い合わせる事により、頭部が通り抜けるサイズまで伸びるため、被っての着用が可能となる。製品にした時の外観は、５の前身頃、６の後身頃のようになる。
【産業上の利用可能性】
【０００９】  手に障害を持つ人や怪我人、握力低下で一人ではボタンの開閉が難しい高齢者など従来のワイシャツ（英：ｄｒｅｓｓ  ｓｈｉｒｔ）が持つ普遍的な仕様により、着用を諦めてきた人が多くいる。その人たちが人前に出るなど着飾る必要に迫られた時に、臆する事なく着用できる製品があれば、それらの人たちの活躍の場を広げる１つのきっかけになると考える。
また、その面倒さからスーツやワイシャツ離れがすすむ業界においても、時間と手間の簡略化は新しい価値観を産むので、停滞する衣類業界全般に置いて、可能性は無限にあると確信している。
【符号の説明】
【０００９】１：襟
２：台襟
３：ヨーク
４：伸縮マチ
５：前身頃外観
６：後身頃外観
【図１】
0003234767.tif 000003
【図２】
0003234767.tif 000004
【手続補正書】
【提出日】令和3年7月29日(2021.7.29)
【手続補正１】
【補正対象書類名】実用新案登録請求の範囲
【補正対象項目名】請求項１
【補正方法】変更
【補正の内容】
【請求項１】
ボタンの開閉無しでは着用ができない、襟羽の付いたワイシャツ（英：ｄｒｅｓｓ  ｓｈｉｒｔ）に対し、襟やヨークの後ろ側の一部を伸縮する素材に置き換え、ボタンを開閉せずに被るだけで着用できるワイシャツ。
(57)【要約】      （修正有）【課題】安全に、かつ使い易い跨ぎ動作のスキルレベルが向上するような跨ぎ練習器具を提供する。【解決手段】簡単に設置することができ安全に跨ぎ動作の練習を行うことが出来る器具であって、細長い部材で形成された基部材１と、該基部材を任意の箇所に固定するための固定器具部材２と、該基部材に着脱可能に結合するような軟性の棒状体３と、その棒状体を差し込む結合部材４で構成される。該器具を任意の箇所に固定し、棒状体を繰り返し跨ぐ練習をすることでスキルレベルが向上する。該器具は固定器具を用いることで高さの調整が容易に行える。昇降機能を有する電動ベッドや平行棒に固定し使用することで高さの調整は簡便に行え、スキルレベルの向上を図ることができる。【選択図】図１
0003234769.tif 000002
【実用新案登録請求の範囲】
【請求項１】
細長い部材で形成された基部材と、該基部材を任意の箇所に固定するための固定器具部材と、該基部材に着脱可能に結合するような軟性の棒状体と、その棒状体を差し込む結合部材で構成される、跨ぎ練習器具。
【請求項２】
棒状体が容易に抜き差しできる構造を特徴とする請求項１に記載の跨ぎ練習器具
【請求項３】
昇降機能を有するものに請求項１に記載した跨ぎ練習器具を固定することで自由に、かつ簡便に高さを変えることができる請求項１に記載の跨ぎ練習器具
【考案の詳細な説明】
【技術分野】
【０００１】  本考案は、リハビリテーションで行われる跨ぎ動作の練習を行う器具である。
【背景技術】
【０００２】  跨ぎ動作の練習をするための器具は今まで考案されず、代替品を用いて跨ぎ動作の練習を行っていた。
【先行技術文献】
跨ぎ動作の練習を行う器具の先行文献はありません。
【非特許文献】
【非特許文献】跨ぎ動作の練習を行う器具の非先行文献はありません
【考案の概要】
【考案が解決しようとする課題】
【０００５】  跨ぎ動作は浴槽に入る為に必要な動作であるにもかかわらず、リハビリテーション分野において跨ぎ動作の練習を目的とした器具がなく、代替品を用いて行ってきた。代替品であるが故に安全性が担保されていない。入浴するということは日常生活を送る上で必須の行為であり、自立した生活を行う為にも動作能力の向上が必要である。そこで、擬似的環境を容易に作れ、反復練習が出来る器具が必要なのである。
【課題を解決するための手段】
【０００６】  本考案は、跨ぎ動作の練習が行い難い原因である安全性と簡単に設置出来ることを実現した。安全性は、跨ぐ際に足が引っかかり転倒しやすくなるため、跨ぐ指標となる棒が容易に抜けるようにした。簡単に設置出来るようにするため、自立式ではなく手すりなどの任意の箇所に固定出来る金具を用いている。昇降機能を有する歩行訓練用平行棒や電動ベッドなどに固定することで、高さを変えることが容易となることで問題点を解決した。
【考案の効果】
【０００７】  跨ぎ動作専用の練習器具である為、安全性が向上し、適切な高さで反復練習を行うことが出来るようになる。
【図面の簡単な説明】
【０００８】
【図１】本考案の跨ぎ動作練習器具の正面図である。
【図２】本考案の跨ぎ動作練習器具の側面図である。
【図３】本考案の跨ぎ動作練習器具の背面図である。
【考案を実施するための形態】
【０００９】  本考案の器具を手すりや昇降機能付き平行棒に引っ掛けて設置する。練習者は、本考案の器具に向き合うように立ち、跨ぐ目的物である棒３を片足ずつ越えるように動作を行い、それを反復して行う。動作が習得されれば本考案の器具の高さを上げ、さらに反復練習を行っていく。
【００１０】  以下、添付図面に従って一実施例を説明する。１は耐久性のある木材等適宜素材のものであり、２は１を任意の箇所に固定するためのフック等の固定器具である。３は跨ぎ動作練習の目的物である棒状のものであり、３は４に挿入して使用する。
【００１１】  動作練習において、足が棒３に当たり外れるように固定はせず、４は棒が外れやすいように部材の深さは浅くなっている。練習中に棒３が外れた際には、再び４に挿入し、練習を再開する。
【符号の説明】  １  基部材
２  固定器具部材
３  棒状体
４  結合部材
【図１】
0003234769.tif 000003
【図２】
0003234769.tif 000004
【図３】
0003234769.tif 000005
(57)【要約】      （修正有）【課題】コロナ流行下、食事中の唾液の飛沫が料理に付着するのを防止するパーティションを提供する。【解決手段】球形のカプセルを４等分したものの１つの形状をしたプラスチック製の成型品であって、平面上に設置した場合に半円形の開口部と半円形の設置面と球面をした本体により区切られた空間を作り、その空間内に料理を並べることにより上部や前部や左側面や右側面からの唾液の飛沫の料理への付着を防止する。【選択図】図７
0003234761.tif 000002
【実用新案登録請求の範囲】
【請求項１】
球形を４分割した形（図面７  斜視図参照）のアクリル樹脂等のプラスチック製及び紙製の飲食中の料理への飛沫付着防止用パーティション
【請求項２】
球面形のパーティションの開口部の幅や高さを変えたり、奥行きを変えて、曲面に修正を加え楕円状（図面８  斜視図参照）にした飛沫付着防止用パーティション
【考案の詳細な説明】
【技術分野】
【０００１】  本考案は最近、新型コロナの流行を機に飲食の際に設置している１枚或いは複数組合せた板状平面のパーティションに代わる曲面からなる半ドーム型のパーティションであり、１枚で立体的に飛沫から料理を隔てる役割を果たし、簡単に移動出来るものである。
【背景技術】
【０００２】  飲食をする場において飛沫を防ぐことが喫緊の課題であり平面状のアクリル板等のパーティションの組合せ或いは長方体状に板を４枚接着した物などが使用されている。
【先行技術文献】
【実用新案文献】
【０００３】    実用新案登録第３２２９０８９号（Ｕ３２２９０８９）
［登録日］令和２年１１月４日
［考案の名称］デスク用コ字状パーティション
【考案の概要】
【考案が解決しようとする課題】
【０００４】  飛沫防止用の板状のパーティションでは前、上と両隣を隔てるには複数枚必要であり、固定しなければならない場合もあり、移動に複数の作業が必要になります。
【課題を解決するための手段】
【０００５】  本考案は飛沫防止のため、球を４分割した形をしたパーティションと、それを修正して食事する時の両腕の可動範囲や料理の数に応じて開口部の幅や高さ或いは奥ゆきを変えたパーティションであり、１個でより多くの方向からの飛沫を防ぐとともに、接地面が半円のため置くだけで安定し、簡単に移動もできます。
【考案の効果】
【０００６】  上述のように本考案は食事中の飛沫防止のためにパーティションを複数枚使用することなく、より多くの方向からの飛沫の付着を防ぎます。【０００７】  １個の曲面体であるため簡単に移動することができますし、清掃、消毒が頻繁にできるため安全性を高めます。
【図面の簡単な説明】
【図１】球面形パーティションの平面図
【図２】球面形パーティションの底面図
【図３】球面形パーティションの正面図
【図４】球面形パーティションの背面図
【図５】球面形パーティションの右側面図
【図６】球面形パーティションの左側面図
【図７】球面形パーティションの斜視図
【図８】楕円形パーティションの斜視図
【考案を実施するための形態】
【０００８】  食事を提供する席のテーブルや御膳の上に本パーティションを設置して、その区切られた空間に予約を頂いた料理を並べたり、その場で注文頂いた料理をパーティション内に配膳したりします。
【実施例】
【０００９】  飲食店ではお客様が着席されたテーブルやカウンターにパーティションを設置したり、予め設置したパーティションの前にお客様を誘導します。
【産業上の利用可能性】
【００１０】  飲食業や観光業や施設や家庭内での飲食の際に使用する。【００１１】  球面形のパーティションは現在市販されている半円形ドームの金型に修正を加えれば低コストでの量産は可能ですが、楕円形のパーティションは金型から作成しなければならないため汎用性では劣ります。
【図１】
0003234761.tif 000003
【図２】
0003234761.tif 000004
【図３】
0003234761.tif 000005
【図４】
0003234761.tif 000006
【図５】
0003234761.tif 000007
【図６】
0003234761.tif 000008
【図７】
0003234761.tif 000009
【図８】
0003234761.tif 000010
【手続補正書】
【提出日】令和3年4月26日(2021.4.26)
【手続補正１】
【補正対象書類名】実用新案登録請求の範囲
【補正対象項目名】全文
【補正方法】変更
【補正の内容】
【実用新案登録請求の範囲】
【請求項１】
球形のカプセルを４等分したものの１つの形状をしたプラスチック製の成型品であって、平面上に設置した場合に半円形の開口部と半円形の設置面と球面をした本体により区切られた空間を作り、その空間内に料理を並べることにより上部や前部や左側面や右側面からの唾液の飛沫の料理への付着を防止するパーティション。
【請求項２】
前記のパーティションの開口部の半円形か設置面の半円形のどちらか一方の半円形の高さか奥行きを変えて、半円形の曲線を楕円に変え、本体の曲面を楕円体の形状に変えて、食事をする人の体格に高さを合わせたり、料理の点数を増やせるよう変えたパーティション。
【手続補正書】
【提出日】令和3年8月5日(2021.8.5)
【手続補正１】
【補正対象書類名】実用新案登録請求の範囲
【補正対象項目名】全文
【補正方法】変更
【補正の内容】
【実用新案登録請求の範囲】
【請求項１】
球形のカプセルを４等分したものの１つの形状をしたプラスチック製の成型品であって、平面上に設置した場合に半円形の開口部と半円形の設置面と球面をした本体により区切られた空間を作り、その空間内に料理を並べることにより上部や前部や左側面や右側面からの唾液の飛沫の料理への付着を防止するパーティション。
【請求項２】
請求項１に記載のパーティションの開口部の半円形か設置面の半円形のどちらか一方の半円形の高さか奥行きを変えて、半円形の曲線を楕円に変え、本体の曲面を楕円体の形状に変えて、食事をする人の体格に高さを合わせたり、料理の点数を増やせるよう変えたパーティション。
(57)【要約】      （修正有）【課題】感染に対する自己防衛策であるが、新生活様式として一般化されれば感染防止に大きく資する飛沫防止衝立を提供する。【解決手段】長方形の長辺上部を両方向から斜めに切り取った面を背面とし、背面左右に台形を貼り合わせ、食材を上後左右から囲む形の携帯貼り合わせ式飛沫防止衝立とする。【選択図】図２
0003234768.tif 000002
【実用新案登録請求の範囲】
【請求項１】
食事の際に自身の食材、食器を飛沫から守るための携帯貼り合わせ式飛沫防止衝立。
【請求項２】
食事の際に自身の食材、食器を飛沫から守るための携帯折りたたみ式飛沫防止衝立。
【請求項３】
食事の際に自身の食材、食器を飛沫から守るための店舗常備型飛沫防止衝立。
【考案の詳細な説明】
【技術分野】
【０００１】自身の食材、食器に他人の飛沫が付着することを防ぐ衝立。【０００２】「請求項１」「請求項２」は折りたたみ式で容易に持ち運びできる。【０００３】「請求項３」は折りたたみ型ではなく飲食店などへの常備を目的とする。
【考案の概要】
【考案が解決しようとする課題】
【０００４】食事の際に自身の食材や食器に他人の飛沫が付着し、感染症の感染原因となる。【０００５】しかしながら、マスク着用や黙食を他人に求めることは困難である。【０００６】自身の感染防止のために、自身の食材や食器に他人の飛沫が付着しないよう自己防衛する。【０００７】感染拡大防止には一般化させる必要がある。【０００８】一般化させるためには廉価、他人に配慮したデザイン、携帯可能である事が必要である。【０００９】一般化させるために店舗常備型も作成する。【００１０】様々な形状、大きさの食材、食器を遮蔽することが困難である。
【課題を解決するための手段】
【００１１】食事の際、自身の食材、食器を上後左右から囲む。【００１２】厚紙、ポリプロピレン、プラスティック、アクリル板などで作るが、倒れない強度さえ有れば素材に拘らず安価な素材を使う。簡易な製作工程を目指す。【００１３】「請求項１」「請求項２」は、排他的に見えない様に他人に配慮したデザイン、持ちたくなる様にお洒落なデザインを目指す。（相手から見える面、特に背面に花の絵、子供用には玩具や電車の絵など。単色無地も用意する。）【００１４】「請求項１」「請求項２」は簡易に組み立てられ、携帯可能とする。【００１５】大きさや角度の異なる各種図形を組み合わせれば、形状、大きさの異なる食材、食器を上後左右から遮蔽可能である。
【考案の効果】
【００１６】自身の感染防止のために、自身の食材や食器に他人の飛沫が付着しないよう自己防衛する。【００１７】一般化すれば感染症の拡大防止に役立つ。
【図面の簡単な説明】
【００１８】
【図１】携帯貼り合わせ式飛沫防止衝立を食卓上の食材、食器を上後左右からカバーするように置いた使用時の状態を示した図である。
【図２】開いて飲み物を上後左右から取り巻く形で設置した使用時の状態を示した図である。のりしろを大きく使ったり、小さく使ったりすることで左右面の角度を変更できる。
【図３】開いている面を自分に向け、食材、食器をカバーするように置いた使用時の状態を示した図である。
【図４】携帯貼り合わせ式飛沫防止衝立の使用後は両翼、中央の順にたたみ、専用の袋に入れ携帯する場合の折りたたんだ状態を示した図である。
【図５】携帯貼り合わせ式飛沫防止衝立を開いた状態を示した図である。
【図６】携帯貼り合わせ式飛沫防止衝立の完成図である。
【図７】携帯折りたたみ式飛沫防止衝立の使用後、二つのマジックテープを元に戻して内折りし、専用の袋に入れ携帯する場合の折りたたんだ状態を示した図である。
【図８】携帯折りたたみ式飛沫防止衝立を開いた状態を示した図である。
【図９】携帯折りたたみ式飛沫防止衝立の完成図である。
【図１０】店舗常備型飛沫防止衝立の正面図である。
【考案を実施するための形態】
【００１９】図１，図２，図３のように組み立てて食材、食器に被せる。
【産業上の利用可能性】
【００２０】個人以外に飲食店舗等での常備が考えられる。
【符号の説明】
【００２１】イ、ロ、ハ、ニはマジックテープ
【図１】
0003234768.tif 000003
【図２】
0003234768.tif 000004
【図３】
0003234768.tif 000005
【図４】
0003234768.tif 000006
【図５】
0003234768.tif 000007
【図６】
0003234768.tif 000008
【図７】
0003234768.tif 000009
【図８】
0003234768.tif 000010
【図９】
0003234768.tif 000011
【図１０】
0003234768.tif 000012
【手続補正書】
【提出日】令和3年7月29日(2021.7.29)
【手続補正１】
【補正対象書類名】実用新案登録請求の範囲
【補正対象項目名】全文
【補正方法】変更
【補正の内容】
【実用新案登録請求の範囲】
【請求項１】
長方形の長辺上部を両方向から斜めに切り取った面を背面とし、背面左右に台形を貼り合わせ、食材を上後左右から囲む形の携帯貼り合わせ式飛沫防止衝立。
【請求項２】
二等辺または正三角形の両斜辺に切れ込みを入れ、上左右を折り、上後左右面で食材を囲む形の携帯折りたたみ式飛沫防止衝立。
【請求項３】
半球や桶型の前面を切り取り食材に覆い被せる形の店舗常備型飛沫防止衝立。
(57)【要約】      （修正有）【課題】伸縮ストックのパイプやペットボトルの蓋を容易に締め、緩める事ができる治具を提供する。【解決手段】伸縮ストックの延長パイプや、ペットボトルの蓋にセットすることが可能な治具であって、２枚の金属プレート１と、蝶ネジ２、５と、延長プレート３とを有し、前記金属プレートにはネジ穴７が設けられ、前記延長プレートは、前記蝶ネジに付加されていることを特徴とする治具。【選択図】図１
0003234764.tif 000002
【実用新案登録請求の範囲】
【請求項１】
伸縮のストックのパイプの内蔵された駒の締め不足や、使った振動で固く締まった駒、ペットボトルの蓋にセットし。付加した蝶ネジの延長プレートで、「てこ」の応用で簡単に締め、緩める事が出来る治具。
【請求項２】
治具のプレートを凹状して、接点の４か所でストックのパイプ、ペットボトルの蓋にセットし、応力を利用して、パイプや蓋のスリップを無くし、「てこ」の応用で容易に締め、緩める事が出来る治具。
【請求項３】
金属のプレートをネジで繋ぎ、片方の先端の調節する蝶ネジを回し、すき間を簡単に調節できる工夫。
両ネジの先端をカシメ、治具自体を一体化しバラバラにならない様にする事。
主ネジに付加した延長プレートを使い、指の力がない人でも、簡単に締め緩める事が出来る治具。
【考案の詳細な説明】
【技術分野】
【０００１】伸縮ストック、ペットボトルなど締め、緩める治具の製造技術分野に関する。
【背景技術】
【０００２】伸縮ストックは手のみで固定するストックが主流である。
【発明が解決しようとする課題】
【０００３】ところが従来の伸縮ストックは、内蔵されているプラスチックの駒が、固定する際十分でない場合、歩きや走行の際勝手に締まり、手のみで緩める事が出来なくなり、たたんで収納する事が出来なくなり、ザックにしま事が困難になり、置き場所のスペースの確保に困る事や、忘れ物し易くなる事の防止の解決。
【課題を解決するための手段】
【０００４】ザックなどに収納できる事。テント、小屋など場所のスペースの確保の為、速やかに緩める事が出来るのを特徴とする。
【発明の効果】
【０００５】伸縮ストックの締めが甘いと、歩行やランニングの際、伸縮ストックの内蔵されている駒が回転して、止めている下部のパイプの棒が中に入り、長さが左右異なり、歩行や走行時にバランスを崩し転倒して、事故なるのを防止する事が出来るストックで、安心して歩行、走行する事が出来るストックになる。
【図面の簡単な説明】
【０００６】
【図１】本発明の一の外観斜視図。
【図２】本発明の一実施形態にセットした事を示す断面図。
【図３】本発明の一実施形態に係る構成の各所部品の図。
【考案を実施するための形態】
【０００７】以下、本発明の実施の形態を図１〜図３に基づいて説明する。
【実施例】
【０００８】伸縮ストック取り付けている途中の図１。【０００９】図２は、伸縮ストックのパイプと、ペットボトルに取り付けている断面図。【００１０】図３は、金属のプレートと蝶ネジで構成している図。
【符号の説明】
【００１１】１．  金属プレート    ２．蝶ネジ    ３．付加したプレート
４．  蝶ネジ    ５．蝶ネジ    ６．蝶ネジ    ７．ネジ穴
８．  紐通し穴  ９．斜線部凹状  １０．プレート斜線部凹部
１１．伸縮ストック  １２．伸縮ストックの付加リング  １３．動く
１４．ストックの中段リング
【図１】
0003234764.tif 000003
【図２】
0003234764.tif 000004
【図３】
0003234764.tif 000005
【手続補正書】
【提出日】令和3年7月27日(2021.7.27)
【手続補正１】
【補正対象書類名】実用新案登録請求の範囲
【補正対象項目名】全文
【補正方法】変更
【補正の内容】
【実用新案登録請求の範囲】
【請求項１】
伸縮ストックにセットすることが可能な治具であって、２枚の金属プレートと、蝶ネジと、延長プレートとを有し、前記金属プレートにはネジ穴が設けられ、前記延長プレートは、前記蝶ネジに付加されていることを特徴とする治具。
【請求項２】
ペットボトルにセットすることが可能な治具であって、２枚の金属プレートと蝶ネジと、延長プレートとを有し、前記金属プレートにはネジ穴が設けられ、前記延長プレートは、前蝶ネジに付加されていることを特徴とする治具。
【請求項３】
前記金属プレートが凹状であることを特徴とする請求項１又は請求項２に記載の治具。
(57)【要約】      （修正有）【課題】トムソン型などで打ち抜く事で作成した折り構造上に左右対称に存在する切欠に力を加える事で円錐状に変形しスポーツ観戦用のメガホン兼用うちわを提供する。【解決手段】フィルムシートを加工し、全体をうちわの用途に合わせた形状１にトムソン型などを使用し打ち抜くときに、立体的なメガホンとしても使用できるような加工を施し、右穴ａ左穴ｂに力を加える事で円錐形のメガホン構造に変化し、スポーツ観戦用途としても使用できる。【選択図】図１
0003234626.tif 000002
【実用新案登録請求の範囲】
【請求項１】
ポリプロピレンのフィルムシート材料や厚紙をトムソン型で扇型に型抜きし、前記扇型の片端に接合のための余地を設け、前記扇型の中心角を二等分する直線を折り部として扇形を二つ折りにし、接合部の余地と重なり合う前記扇型の片端を接合部として接合し、前記折り部と前記接合部において二つ折り加工後に出来た扇形の中心から等距離な位置に指を引っかける為の窪みを設けた物であり、うちわとして使用可能であるとともに、前記窪みに指を引っかけた状態で力を加える事で前記扇形が円錐形状に変化しメガホンとしても使用可能である事を特徴とするメガホン兼用うちわ。
【請求項２】
ポリプロピレンのフィルムシート材料に対し、オフセット印刷を用いて絵や文字、写真などを印刷し、販促用途に使用できる事を特徴とする請求項１に記載のメガホン兼用うちわ
【考案の詳細な説明】
【技術分野】
【０００１】  本考案は主として、フイルムシート材料に対して多目的に使用できる利便性の高いノベルティー商品に関するものである。
【背景技術】
【０００２】  従来のうちわは、扇ぐ事のみを目的としていた。スポーツ観戦時などの場面ではうちわ本体を叩くなどの方法で応援の意思を示していた。
【考案が解決しようとする課題】
【０００３】  従来のうちわは、広告が掲載される部位とそれを指示するホネから構成されており、うちわ以外の形状へ変化させるには構造が堅牢であったが、うちわをホネを使用せずにトムソン加工とヒートシールによる部分整合で制作した本考案により、広告物などに使用した場合、うちわ以外の形状へ変化するという特徴を持つ事で販促品としての効果の向上が期待できる。
【０００４】  少なからずプラスチック製品は廃棄処理の段階で環境に負荷をかけてしまうという課題を持っているが、本考案である販促用うちわの材料シート素材を再生樹脂材料もしくは消石灰から製造されるＬＩＭＥＸ材料を使用して作成することで環境負荷の課題を解決することができる。
【課題を解決するための手段】
【０００５】  予めうちわ本体に、トムソン型などで打ち抜く事で作成した折り構造上に左右対称に存在する切欠に力を加える事で円錐状に変形しうちわ以外の用途にも使用できる、また、オフセット印刷を用いてパターン等を印刷することで、共通の材料で多岐にわたる製品のバリエーションを作成することも出来、ノベルティー効果を高めることが出来る。
【考案実施の形態】
【０００６】  図１は本考案のメガホン兼用うちわ（１）の視図である。図１でメガホン兼用うちわ（１）の下部に位置する半円状の右穴（ａ）左穴（ｂ）はあらかじめトムソン型などで打ち抜かれている。また左辺（ｃ）は接着加工によって出来た接合部、右辺（ｄ）はトムソン型による加工で出来た折り筋である。
【０００７】  図２は本考案のメガホン兼用うちわ（１）の変形図である。図１でメガホン兼用うちわ（１）は１枚のフィルムシートをトムソン型などで用途に合わせた形状に打ち抜くと同時に本考案を立体的に使用するための切欠である、右穴（ａ）左穴（ｂ）を設ける。この穴に指を用いて力を加える事で、あらかじめ加工しておいた左辺（ｃ）、右辺（ｄ）を支点として、円錐状の構造体に変化する。また、下辺（ｅ）は立体的な構造にした場合にメガホンの口として使用できるように変形する。
【０００８】  このメガホン兼用（１）の材料はシートの素材が光透過性を有する再生樹脂材料もしくは消石灰から製造されるＬＩＭＥＸ材料を使用して環境に優しい商品として作成することもできる。環境に優しい商品として使用する場合、宣伝広告効果を更に高めることができる。
【図面の簡単な説明】
【０００９】
【図１】本考案のメガホン兼用うちわの視図
【図２】図１のメガホン兼用うちわの変形図
【符号の説明】
【００１０】１  メガホン兼用うちわ
ａ  右穴
ｂ  左穴
ｃ  左辺
ｄ  右辺
ｅ  下辺
【図１】
0003234626.tif 000003
【図２】
0003234626.tif 000004
(57)【要約】      （修正有）【課題】飲食を容易にするとともに、飛沫の飛散を防止し感染防止を行う可動式飲食用マウスシールドを提供する。【解決手段】可動式飲食用マウスシールドは、Ｕ字型ウレタン樹脂の上にプラスチック樹脂を密着し、プラスチック樹脂に２つの穴をあけ、上部の穴は針金を密着し、針金の両端にゴムひもを付けて両耳に固定する。一方、下部の大きめな穴は針金を通し可動状態に置くとともに、その針金の両端にシールドマスクを固定する。可動式飲食用マウスシールドのＵ字型ウレタン樹脂部分を鼻の下部（下鼻甲介）に固定し、飲食することにより、顔が下を向いたときにシールドマスクと口の間に空間ができ、飲食を容易にし、それ以外の時は、シールドマスクが口部分を覆い感染防止に役立つ。【選択図】図１
0003234622.tif 000002
【実用新案登録請求の範囲】
【請求項１】
鼻の下部（下鼻甲介）に付着するＵ字型ウレタン樹脂の上にプラスチック樹脂を密着し、その上部の穴に針金を通して固定し、両端にゴム紐を付けて両耳に固定する。さらに、プラスチック樹脂の下部に針金が動くように太めの穴をあけ、その穴に針金を通して両端にシールドマスクを引っ掛け固着する。このシールドマスクは、飲食のため顔を下向きにすると、マスクは垂直のままで、顔とマスクの角度が最大４５度に開くため、マスクを手で操作することなく飲食できる特徴を持つ可動式飲食用マウスシールドである。
【考案の詳細な説明】
【技術分野】
【０００１】本考案は、鼻部につける固定部品に可動式の針金を通し、さらに、その針金にシールドマスクを取り付けて飲食できるマウスシールドに関するものである。
【背景技術】
【０００２】従来の飲食用マウスシールドは、手持ちの型やフェイスシールドタイプのもので扱いに簡便性がない。
【考案の概要】
【考案が解決しようとする課題】
【０００３】飲食する際に、マスクを脱着するのは非常に面倒であり、マスク飲食が浸透していない理由となっている。従って、口を開け飲食する際、自然に顔が約４５度下を向きマスクとの間に空間ができることを利用し、簡単にマスク飲食が可能となる。
【課題を解決するための手段】
【０００４】本考案は、鼻の下部（下鼻甲介）に付着するＵ字型ウレタン樹脂の上にプラスチック樹脂を密着し、その上部の穴に針金を通して固定し、両端にゴム紐を付けて両耳に固定する。さらに、プラスチック樹脂の下部に針金が動くように太めの穴をあけ、その穴に針金を通し可動状態におく。この針金の両端にシールドマスクの上端部を折り曲げて引っ掛け固着する。以上の組み合わせを終了し、鼻部固定部と耳掛けゴム紐により鼻、頬、耳に固定し、鼻部固定部下に通した可動式シールドマスクにより簡易なマスク飲食を可能とし、問題点を解決する。
【考案の効果】
【０００５】以上のように、本考案の可動式飲食用マウスシールドは、鼻下部（下鼻甲介）にシールドマスクを可動式で固定することにより、飲食を容易にし、食事以外の時は、シールドマスクが口部分を覆っているため飛沫が直接正面に飛散せず感染防止に役立つものである。
【図面の簡単な説明】
【０００６】
【図１】本考案の可動式飲食マウスシールドの実施例を示す正面図である。
【図２】本マウスシールドの実施例の断面図である。
【図３】本マウスシールドの鼻部固定部の詳細図である。
【図４】本マウスシールドのシールドマスク及び可動部針金の状況図である。（固定用針金は、直径２ｍｍ程度で若干の柔軟性があり、且つ景観を考慮し白色塗装したもの又は白色ビニール被覆したものとする）
【図５】本マウスシールドの鼻部固定用針金及び耳掛けゴム紐固定の状況図である。
【図１】
0003234622.tif 000003
【図２】
0003234622.tif 000004
【図３】
0003234622.tif 000005
【図４】
0003234622.tif 000006
【図５】
0003234622.tif 000007
(57)【要約】      （修正有）【課題】ゆで卵を調理中の沸騰や保存中の横揺れによって殻が割れることを防ぐだけでなく、容器全体を冷蔵庫のドアポケットに収納した場合、容器全体を取り出すことなく１個のゆで卵を取り出すことができるゆで卵調理・収納容器を提供する。【解決手段】ゆで卵調理・収納容器は、卵を１個収納できる子容器と、複数の子容器を収納できる親容器を有する。卵を透明な合成樹脂製の子容器に入れ、その子容器を、仕切り板付きの透明な合成樹脂製親容器に収納したまま鍋でゆで、できたゆで卵を保存することにより卵をゆでたり、できたゆで卵を保存している間に卵と鍋や卵同士の衝突を防ぎ殻が割れることを防ぐことができ、容器全体を冷蔵庫のドアポケットから取り出すことなく１個のゆで卵を取り出すことができる。【選択図】図１
0003234630.tif 000002
【実用新案登録請求の範囲】
【請求項１】
卵を１個収納できる、孔及び／又はスリットを有する底板と孔及び／又はスリットを有する側壁とから成る筒状の透明な合成樹脂製の子容器と、複数の子容器を収納でき、孔及び／又はスリットを有する底板、孔及び／又はスリットを有する側壁、仕切り板、及び取っ手を有する透明な合成樹脂製の親容器とから成るゆで卵調理・収納容器。
【考案の詳細な説明】
【技術分野】
【０００１】
本考案は、複数のゆで卵を、殻が割れるのを防ぎながら調理・保存でき、調理されたゆで卵を１個ずつ取り出すことができる容器に関するものである。
【背景技術】
【０００２】
卵をそのまま鍋の中で煮ると沸騰によって卵同士、卵と鍋が衝突し割れる可能性がある。卵の中身が固まる前に割れると、中身が出てくる可能性があり、卵の中身が固まった後に割れたとしても、ゆで卵の中身が長時間露出することは衛生上、好ましくない。卵をゆでる時に、卵を１個ずつ配置することができる複数の穴から成る容器は考案されたが、容器全体を鍋から片手で取り出せる構造ではなく、冷蔵庫のドアポケットに保存した場合、開閉時の横揺れによる衝撃から卵を守る構造にもなっていない。
【先行技術文献】
【特許文献】
【０００３】
【特許文献１】実用新案登録第3215329号
【特許文献２】特開2014-161230
【特許文献３】特開2013-63240
【特許文献４】実用新案登録第3151249号
【考案の概要】
【考案が解決しようとする課題】
【０００４】
ゆで卵を調理中の沸騰や保存中の横揺れによって殻が割れることを防ぐだけでなく、容器全体を冷蔵庫のドアポケットに収納した場合、容器全体を取り出すことなく１個のゆで卵を取り出すことができる容器を提供する。
【課題を解決するための手段】
【０００５】
卵を透明な合成樹脂製の子容器に入れ、その子容器を、仕切り板付きの透明な合成樹脂製親容器に収納したまま鍋でゆで、できたゆで卵を保存することにより卵をゆでたり、できたゆで卵を保存している間に卵と鍋や卵同士の衝突を防ぎ殻が割れること防ぐことができ、容器全体を冷蔵庫のドアポケットから取り出すことなく１個のゆで卵を取り出すことができる。
【考案の効果】
【０００６】
本考案の容器は、ゆで卵の調理・保存・取り出しを容易にできるという利点がある。
【図面の簡単な説明】
【０００７】
【図１】図１は、本考案の子容器の透視図である。
【図２】図２は、本考案の一実施例として、子容器を６個収納できる親容器の透視図である。
【考案を実施するための形態】
【０００８】
卵を１個収納する子容器は、底板と、水の出入りを可能にする孔又はスリットを有する外壁とから構成される透明な合成樹脂製の筒状の容器であり、複数の子容器を収納する親容器は、沸騰によって子容器が倒れたり、冷蔵庫のドアポケットから子容器を取り出した後、ドアの開閉によって他の子容器が移動したりすることを防ぐための仕切り板、子容器を入れたまま沸騰水から片手で取り出すための取っ手、水の排出のための孔を有する透明な合成樹脂製の容器である。
【実施例１】
【０００９】
以下、添付図面に従って、一実施例を説明する。６個の透明ポリプロピレン製子容器を収納できる透明ポリプロピレン製親容器に６個の子容器を収納し、子容器を収納したまま親容器を鍋に収納し、５個の子容器に生卵を収納し、生卵が完全に水没するまで水を入れ、鍋を加熱し、水が沸騰し始めたら１０分間待った後、子容器を収納したまま親容器を鍋から取り出し水に水没させ、１０分間冷やした後、子容器を収納したまま親容器を空の桶に取り出し、ゆで卵の表面が乾いたら冷蔵庫のドアポケットに子容器を入れたまま親容器を収納した。ゆで卵が入っている子容器は親容器から取り出すことなく見つけることができ、ゆで卵を１個取り出すことができた。
【産業上の利用可能性】
【００１０】
本考案の容器を用いれば、ゆで卵を調理・保存する時に殻が割れるのを防ぐことができ、結果として賞味期限を延ばすことができるだけでなく、容器を冷蔵庫のドアポケットに入れてゆで卵を保存中ても、容器全体を取り出すことなく、ゆで卵が入っている子容器をすぐに見付けて取り出すことができるため台所用品として利用可能である。
【図１】
0003234630.tif 000003
【図２】
0003234630.tif 000004
(57)【要約】      （修正有）【課題】レポート用紙に類する用紙の縁に、ゼムクリップを差し込むための切れ目や穴を設け、そこに用紙を挟むようにしてゼムクリップを差し込み、重ねた用紙を止めると、差し込んだゼムクリップは指で押し出さないとはずれないので、止めた用紙を雑に扱ったり、めくったりしても、ゼムクリップがはずれてばらつかない、用紙を提供する。【解決手段】レポート用紙に類する用紙の縁に、ゼムクリップを差し込むための切れ目や穴を設けておき、そこに用紙を挟むようにしてゼムクリップを差し込み、重ねた用紙を止めるようにしたものです。差し込んだゼムクリップは指で押し出さないとはずれないので、重ねた用紙が多すぎたり、ゼムクリップの状態が悪くても、止めた用紙を雑に扱ったり、めくったりしている時に、ゼムクリップがはずれて用紙がばらつくことはない。【選択図】図２
0003234624.tif 000002
【実用新案登録請求の範囲】
【請求項１】
レポート用紙に類する用紙の縁に、ゼムクリップを差し込むための切れ目や穴を設けたレポート用紙に類する用紙。
【考案の詳細な説明】
【技術分野】
【０００１】  本考案は、レポート用紙に類する用紙の縁に、ゼムクリップを差し込むための、切れ目や穴を設けた、レポート用紙に類する用紙に関するものである。
【背景技術】
【０００２】  従来のレポート用紙に類する用紙をゼムクリップで止める時は、重ねた用紙の外側から用紙を挟むようにしてゼムクリップを差し込み止めるので、重ねた用紙が多すぎたり、ゼムクリップの状態が悪いと、止めた用紙を雑に扱ったり、めくっている時にゼムクリップがはずれて用紙がばらつくことがある。
【考案の概要】
【考案が解決しようとする課題】
【０００３】  従来のレポート用紙に類する用紙を、外側から用紙を挟むようにしてゼムクリップを差し込み重ねた用紙を止めると、重ねた用紙が多すぎたり、ゼムクリップの状態が悪いと、止めた用紙を雑に扱ったり、めくっている時にゼムクリップが外れて用紙がばらつくことがある。そこで、レポート用紙に類する用紙の縁に、ゼムクリップを差し込むための切れ目や穴を設けておき、そこに用紙を挟むようにしてゼムクリップを差し込み重ねた用紙を止めると、差し込んだゼムクリップは指で押し出さないとはずれないので、重ねた用紙が多すぎたり、ゼムクリップの状態が悪くても、止めた用紙を雑に扱ったり、めくったりしてもゼムクリップがはずれて用紙がばらつくことはない。
【課題を解決するための手段】
【０００４】  本考案は、レポート用紙に類する用紙の縁に、ゼムクリップを差し込むための切れ目や穴を設けておき、そこに用紙を挟むようにしてゼムクリップを差し込み、重ねた用紙を止めるようにしたものです。差し込んだゼムクリップは指で押し出さないとはずれないので、止めた用紙を雑に扱ったり、めくったりしても、ゼムクリップがはずれて用紙がばらつくことはない。
【考案の効果】
【０００５】  本考案のレポート用紙に類する用紙の縁に、ゼムクリップを差し込むための切れ目や穴を設けた用紙を、ゼムクリップで止める時は、そこに用紙を挟むようにしてゼムクリップを差し込み重ねた用紙を止めます。差し込んだゼムクリップは指で押し出さないとはずれないので、重ねた用紙が多すぎたり、ゼムクリップの状態が悪くても、止めた用紙を雑に扱ったり、めくったりしている時にゼムクリップがはずれて用紙がばらつくことはない。
【図面の簡単な説明】
【０００６】
【図１】本考案のレポート用紙の縁に穴を設けた平面図。
【図２】本考案のレポート用紙の縁に設けられた穴に、ゼムクリップを差し込んだ使用図。
【考案を実施するための形態】
【０００７】  レポート用紙に類する用紙の縁に、ゼムクリップを差し込むための切れ目や穴を設けておき、そこに用紙を挟むようにしてゼムクリップを差し込み、重ねた用紙を止める。
【実施例】
【０００８】  以下、添付図面に従って実施例を説明します。図１のレポート用紙の縁に設けられた穴に、図２のようにゼムクリップを差し込み、重ねた用紙を止める。
【図１】
0003234624.tif 000003
【図２】
0003234624.tif 000004
(57)【要約】      （修正有）【課題】１つの投入口と左右２つの出口を有する玩具で、十分長い間隔を空けて複数個の玉を投入すると、それぞれの玉が５０％の確率で左の出口から、５０％の確率で右の出口から出てくるが、短い時間間隔で複数個の玉を投入すると、すべての玉が左右どちらかの出口から出てくる玩具を提供する。【解決手段】向き合う２枚の側壁を有する受け皿の中央に複数の玉を落下させる場合に、受け皿に１個以下の玉しかないように十分長い時間間隔で落下させれば５０％の確率で左の出口から、５０％の確率で右の出口から出てくるが、落下させるすべての玉が一時的に受け皿上に存在するように短い時間間隔で落下させれば、すべての玉が左右どちらかの出口から出てくるようにできる。【選択図】図７
0003234691.tif 000002
【実用新案登録請求の範囲】
【請求項１】
次の（１）、（２）、（３）から成る玩具：（１）直径と重さが同じで重心が中心にある複数個の玉、（２）上面が水平に保たれた底板、向かい合う２枚の側壁、各側壁自体又は各側壁の上部に設けた支点から成る受け皿、（３）上記受け皿に長い時間間隔及び短い時間間隔で複数個の玉を自在に投入できる投入容器。
【考案の詳細な説明】
【技術分野】
【０００１】
本考案は、直径と重さが同じで重心が中心にある複数個の玉と向き合う２枚の側壁を有する受け皿式バランスから成る玩具に関するものである。
【背景技術】
【０００２】
水を入れる筒状の鹿威しや玉を入れる３枚の側壁を有する受け皿式バランス（以下、「３側壁受け皿」という。）は実際に使用されたり、考案されたりしたが、向き合う２枚の側壁を有する受け皿式バランス（以下、「２側壁受け皿」という。）は知られていなかった。
【先行技術文献】
【特許文献】
【０００３】
【特許文献１】実願２０２１−００２４２７
【考案の概要】
【考案が解決しようとする課題】
【０００４】
１つの投入口と左右２つの出口を有する玩具で、長い間隔を空けて複数個の玉を投入すると、それぞれの玉が５０％の確率で左の出口から、５０％の確率で右の出口から出てくるのに、短い時間間隔で複数の玉を投入すると、すべての玉が左右どちらかの出口から出てくる玩具を提供する。
【課題を解決するための手段】
【０００５】
向き合う２枚の側壁を有する受け皿の中央に複数個の玉を落下させる場合に、その受け皿に１個以下の玉しかないように長い時間間隔で落下させれば５０％の確率で左の出口から、５０％の確率で右の出口から出てくるが、落下させたすべての玉が受け皿上に存在する時間を確保できるように短い時間間隔で落下させれば、すべての玉が左右どちらかの出口から出てくるようにすることが可能となる。
【考案の効果】
【０００６】
本考案の玩具は、２側壁受け皿に落とす玉の時間間隔が長いか短いかによって玉の出方が大きく変わることを体験できるという利点がある。
【図面の簡単な説明】
【０００７】
【図１】図１は、一実施例として玉投入器として３側壁受け皿を用い、弾道面内に中央線がくるように設置して玉を落下させようとしている状態を示す。
【図２】図２は、落下した玉が中央線から左にずれながら転がっていった状態を示す。
【図３】図３は、玉の重さで、２側壁受け皿が左に傾いた状態を示す。
【図４】図４は、落下した玉が中央線から右にずれながら転がっていった状態を示す。
【図５】図５は、玉の重さで、２側壁受け皿が右に傾いた状態を示す。
【図６】図６は、一実施例として玉投入器として３側壁受け皿を用い、弾道面内に中央線がくるように設置して５個の玉を短い時間間隔で落下させ、転がっていった５個の玉全体の重心の位置が２側壁受け皿の中央線の左であったために、玉の重さで、２側壁受け皿が左に傾いた状態を示す。
【図７】図７は、２側壁受け皿が左に傾いたために、５個の玉が左に移動した状態を示す。
【図８】図８は、一実施例として玉投入器として３側壁受け皿を用い、弾道面内に中央線がくるように設置して５個の玉を短い時間間隔で落下させ、転がっていった５個の玉全体の重心の位置が２側壁受け皿の中央線の右であったために、玉の重さで、２側壁受け皿が右に傾いた状態を示す。
【図９】図９は、２側壁受け皿が左に傾いたために、５個の玉が右に移動した状態を示す。
【考案を実施するための形態】
【０００８】
向き合う２枚の側壁を有する受け皿の中央に複数個の玉を落下させる場合に、受け皿に１個以下の玉しかないように長い時間間隔で落下させれば５０％の確率で左の出口から、５０％の確率で右の出口から出てくるが、落下したすべての玉が受け皿上に存在する時間を確保できるように、短い時間間隔で落下させれば、すべての玉が左右どちらかの出口から出てくるようにすることが可能となる。
玉を落とす時間間隔が長いか短いかによって玉の出方が大きく変わることを見せたり体験させたりして、見る人や遊ぶ人の知的好奇心を刺激したり、認知機能レベルを判断したりすることが可能となる。
【実施例１】
【０００９】
玉投入器として３側壁受け皿を用い、弾道面内に中央線がくるように設置して３側壁受け皿の前上部から玉を落下させると、玉は３側壁受け皿の前部から２側壁受け皿に落下し、落下した玉が中央線から左にずれながら転がっていき、２側壁受け皿が左に傾き、左側から出た。続けて３側壁受け皿から２つ目の玉を落下させると、今度は玉が中央線から右にずれながら転がっていき、２側壁受け皿が右に傾き、右側から出た。
【実施例２】
【００１０】
玉投入器として３側壁受け皿を用い、弾道面内に中央線がくるように設置して、３側壁受け皿から５個の玉を短い時間間隔で次々と２側壁受け皿に落下させると、２側壁受け皿が左に傾き、５個の玉がすべて左に移動して転がり出た。続けて５個の玉を同様に落下させると、今度は、２側壁受け皿が右に傾き、５個の玉がすべて右に移動して転がり出た。
【産業上の利用可能性】
【００１１】
本考案の玩具を実演したり遊ばせると知能の発達段階に応じて見る人や遊ぶ人に色々な発見をさせることが期待できるため、見る人や遊ぶ人の反応を観察したり何か気が付いたことはないかを質問したりすることによって知能の発達や認知機能の衰えを調べるツールとして、またどうしてそうなるかを考えさせる教材や展示品としての利用が期待できる。
【図１】
0003234691.tif 000003
【図２】
0003234691.tif 000004
【図３】
0003234691.tif 000005
【図４】
0003234691.tif 000006
【図５】
0003234691.tif 000007
【図６】
0003234691.tif 000008
【図７】
0003234691.tif 000009
【図８】
0003234691.tif 000010
【図９】
0003234691.tif 000011